(57)【要約】【課題】地図データ上における特定の地物の位置をわかりやすく表示すること。【解決手段】地図表示装置１００は、複数の色を用いてディスプレイ１１０に地図データを表示させる。指定部１０１は、地図データの表示に用いられる色のうち少なくとも１つの色の指定を受け付ける。表示制御部１０２は、地図データの表示縮尺に基づいて、地図データに含まれる地物の表示数および表示サイズを変更するとともに、指定部１０１によって指定された色によって表示される地物を、地図データ中の他の地物よりも強調して表示させる。【選択図】図１
2010175855.tif 000002
【特許請求の範囲】
【請求項１】
複数の色を用いてディスプレイに地図データを表示させる地図表示装置であって、
前記地図データの表示に用いられる色のうち少なくとも１つの色の指定を受け付ける指定手段と、
前記地図データの表示縮尺に基づいて、前記地図データに含まれる地物の表示数および表示サイズを変更する表示制御手段と、を備え、
前記表示制御手段は、前記指定手段によって指定された前記色によって表示される前記地物（以下、「指定色地物」という）を、前記地図データ中の他の地物よりも強調して表示させることを特徴とする地図表示装置。
【請求項２】
前記表示制御手段は、前記指定色地物を、前記地図データ中の前記他の地物の前記表示縮尺よりも大きい前記表示縮尺で表示させることを特徴とする請求項１に記載の地図表示装置。
【請求項３】
前記表示制御手段は、前記指定色地物の縁取り部を強調して表示させることを特徴とする請求項１に記載の地図表示装置。
【請求項４】
前記表示制御手段は、前記表示縮尺が小さいほど前記地図データ中の地物の表示サイズを小さくするとともに、前記地図データの表示縮尺が小さくなっても前記縁取り部の表示を継続させることを特徴とする請求項３に記載の地図表示装置。
【請求項５】
前記表示制御手段は、前記指定色地物を、いずれの前記表示縮尺においても前記ディスプレイに表示させることを特徴とする請求項１に記載の地図表示装置。
【請求項６】
前記表示制御手段は、前記表示縮尺が所定値以下の場合には、前記指定色地物を強調して表示させないことを特徴とする請求項１〜５のいずれか一つに記載の地図表示装置。
【請求項７】
地図データの表示縮尺に基づいて前記地図データに含まれる地物の表示数および表示サイズを変更し、複数の色を用いてディスプレイに地図データを表示させる地図表示方法であって、
前記地図データの表示に用いられる色のうち少なくとも１つの色の指定を受け付ける指定工程と、
前記指定工程で指定された前記色によって表示される前記地物（以下、「指定色地物」という）を、前記地図データ中の他の地物よりも強調して表示させる表示制御工程と、
を含んだことを特徴とする地図表示方法。
【請求項８】
請求項７に記載の地図表示方法をコンピュータに実行させることを特徴とする地図表示プログラム。
【請求項９】
請求項８に記載の地図表示プログラムを記録したことを特徴とするコンピュータに読み取り可能な記録媒体。
【発明の詳細な説明】
【技術分野】
【０００１】
この発明は、複数の色を用いてディスプレイに地図データを表示させる地図表示装置、地図表示方法、地図表示プログラムおよび記録媒体に関する。ただし、この発明の利用は、上述した地図表示装置、地図表示方法、地図表示プログラムおよび記録媒体に限られない。
【背景技術】
【０００２】
従来、ディスプレイに地図データを表示する際、表示縮尺に応じて地図データの表示態様を制御する技術が知られている（たとえば、下記特許文献１参照）。下記特許文献１では、建物に関する建物データを記憶する記憶手段と、ディスプレイと、ディスプレイに表示される地図のスケールに応答して建物データの間引き処理を行う間引き処理手段と、ディスプレイの地図上に、間引き処理手段によって間引き処理された建物データに基づき建物を表示させる表示制御手段とを有するナビゲーション装置が示されている。
【先行技術文献】
【特許文献】
【０００３】
【特許文献１】特開２００５−２８３６３０号公報
【発明の概要】
【発明が解決しようとする課題】
【０００４】
しかしながら、上記の従来技術では、表示縮尺が小さくなるにつれて地図上の地物の表示は小さくなり、さらに表示縮尺が小さくなると表示されなくなってしまう。このため、地図の表示縮尺によっては、ユーザが位置を知りたい地物の表示がわかりづらくなってしまうという問題点が一例として挙げられる。ユーザは、位置を知りたい地物の表示が地図から消えてしまうと、表示縮尺を調整してその位置を確認しなくてはならない。このため、地図データを利用する際、ユーザにとって煩雑な作業が生じてしまうという問題点が一例として挙げられる。
【課題を解決するための手段】
【０００５】
上述した課題を解決し、目的を達成するため、請求項１の発明にかかる地図表示装置は、複数の色を用いてディスプレイに地図データを表示させる地図表示装置であって、前記地図データの表示に用いられる色のうち少なくとも１つの色の指定を受け付ける指定手段と、前記地図データの表示縮尺に基づいて、前記地図データに含まれる地物の表示数および表示サイズを変更する表示制御手段と、を備え、前記表示制御手段は、前記指定手段によって指定された前記色によって表示される前記地物（以下、「指定色地物」という）を、前記地図データ中の他の地物よりも強調して表示させることを特徴とする。
【０００６】
また、請求項７の発明にかかる地図表示方法は、地図データの表示縮尺に基づいて前記地図データに含まれる地物の表示数および表示サイズを変更し、複数の色を用いてディスプレイに地図データを表示させる地図表示方法であって、前記地図データの表示に用いられる色のうち少なくとも１つの色の指定を受け付ける指定工程と、前記指定工程で指定された前記色によって表示される前記地物（以下、「指定色地物」という）を、前記地図データ中の他の地物よりも強調して表示させる表示制御工程と、を含んだことを特徴とする。
【０００７】
また、請求項８の発明にかかる地図表示プログラムは、請求項７に記載の地図表示方法をコンピュータに実行させることを特徴とする。
【０００８】
また、請求項９の発明にかかる記録媒体は、請求項８に記載の地図表示プログラムをコンピュータに読み取り可能な状態で記録したことを特徴とする。
【図面の簡単な説明】
【０００９】
【図１】実施の形態にかかる地図表示装置の機能的構成を示すブロック図である。
【図２】地図表示装置による地図表示処理の手順を示すフローチャートである。
【図３】ナビゲーション装置のハードウェア構成を示すブロック図である。
【図４】ナビゲーション装置による地図表示処理の手順を示すフローチャートである。
【図５】色指定メニューの表示例を示す説明図である。
【図６】色強調モードにおける地図データの表示例を説明するための説明図である。
【図７】色強調モードにおける地図データの表示例を説明するための説明図である。
【図８】色強調モードにおける地図データの表示例を説明するための説明図である。
【図９】色強調モードにおける地図データの表示例を説明するための説明図である。
【発明を実施するための形態】
【００１０】
以下に添付図面を参照して、この発明に係る地図表示装置、地図表示方法、地図表示プログラムおよび記録媒体の好適な実施の形態を詳細に説明する。なお、本明細書において、縮尺の分母の値（たとえば、縮尺が１／Ｍや１：Ｍと表される場合におけるＭの値）が小さい方が「縮尺が大きい」といい、縮尺の分母の値が大きい方が「縮尺が小さい」という。また、地図データの縮尺が地図データ上に表示された尺度定規（画面上の距離と実際の距離との対応を表す定規）で示される場合、尺度定規の単位長さが短い方を「縮尺が大きい」といい、尺度定規の単位長さが長い方を「縮尺が小さい」という。また、地図データの縮尺が地図データ上に表示された尺度定規で示される場合、その地図データの縮尺は尺度定規の単位長さを用いて示すものとする。具体的には、尺度定規の単位長さが２００ｍの場合は「２００ｍスケール」、１ｋｍの場合は「１ｋｍスケール」という。
【００１１】
（実施の形態）
図１は、実施の形態にかかる地図表示装置の機能的構成を示すブロック図である。実施の形態にかかる地図表示装置１００は、指定部１０１および表示制御部１０２からなり、複数の色を用いてディスプレイ１１０に地図データを表示させる。より詳細には、地図表示装置１００は、地図データ上の地物をその属性によって異なる色で描画する。
【００１２】
指定部１０１は、地図データの表示に用いられる色のうち少なくとも１つの色の指定を受け付ける。指定部１０１は、たとえば、地図データの表示に用いられる各色が、それぞれどのような属性の地物を描画する際に用いられるかを、ユーザに提示する。ユーザは、強調して表示したい地物を描画する際に用いられる色を、指定部１０１を介して指定する。
【００１３】
表示制御部１０２は、地図データの表示縮尺に基づいて、地図データに含まれる地物の表示数および表示サイズを変更する。このとき、表示制御部１０２は、指定部１０１によって指定された色によって表示される地物（以下、「指定色地物」という）を、地図データ中の他の地物よりも強調してディスプレイ１１０上に表示させる。具体的には、表示制御部１０２は、たとえば、指定色地物を、地図データ中の他の地物の表示縮尺よりも大きい表示縮尺でディスプレイ１１０上に表示させる。
【００１４】
また、表示制御部１０２は、たとえば、指定色地物の縁取り部を強調して表示するとともに、表示縮尺が小さくなって地図データ中の地物の表示サイズが小さくなっても、指定色地物の縁取り部の表示を継続させるようにしてもよい。また、表示制御部１０２は、たとえば、指定色地物を、いずれの表示縮尺においてもディスプレイ１１０に表示させるようにしてもよい。また、表示制御部１０２は、地図データの表示が見にくくなるのを防止するため、表示縮尺が所定値以下の場合には、指定色地物を強調して表示させないようにしてもよい。
【００１５】
図２は、地図表示装置による地図表示処理の手順を示すフローチャートである。図２のフローチャートにおいて、地図表示装置１００は、表示制御部１０２でディスプレイ１１０を制御して、複数の色を用いて地図データを表示させている（ステップＳ２０１）。指定部１０１に対して少なくとも１つ以上の色が指定されるまでは（ステップＳ２０２：Ｎｏ）、ステップＳ２０１に戻り、地図データの表示を継続する。
【００１６】
指定部１０１に対して、少なくとも１つ以上の色が指定されると（ステップＳ２０２：Ｙｅｓ）、地図表示装置１００は、地図データの表示縮尺が所定値より大きいか否かを判断する（ステップＳ２０３）。表示縮尺が所定値より大きい場合（ステップＳ２０３：Ｙｅｓ）、表示制御部１０２は、指定された色で表示される指定色地物を強調して表示させて（ステップＳ２０４）、本フローチャートによる処理を終了する。
【００１７】
一方、表示縮尺が所定値より大きくない場合、すなわち所定値以下の場合（ステップＳ２０３：Ｎｏ）、表示制御部１０２は、指定色地物の強調表示をおこなわずに地図データを通常通り表示させて（ステップＳ２０５）、本フローチャートによる処理を終了する。
【００１８】
以上説明したように、地図表示装置１００は、ユーザによって指定された色で表示される指定色地物を他の地物よりも強調して表示する。具体的には、たとえば、指定色地物を他の地物の表示縮尺よりも大きい表示縮尺で表示させたり、指定色地物の縁取り部を強調して表示させたり、地図データの表示縮尺が小さくなっても指定色地物の縁取り部の表示を継続させたりする。これにより、地図データ上における指定色地物の位置がわかりやすくなり、指定色地物を探す時間を短縮することができる。
【００１９】
また、地図表示装置１００は、地図データの表示縮尺が所定値以下の場合には指定色地物の強調表示をおこなわない。これにより、地図データの表示が見にくくなるのを回避して、ユーザにとってわかりやすい地図データを提供することができる。
【実施例】
【００２０】
以下に、本発明の実施例について説明する。本実施例では、車両に搭載されたナビゲーション装置３００を地図表示装置１００として本発明を適用した場合の一例について説明する。
【００２１】
（ナビゲーション装置３００のハードウェア構成）
まず、ナビゲーション装置３００のハードウェア構成について説明する。図３は、ナビゲーション装置のハードウェア構成を示すブロック図である。図３において、ナビゲーション装置３００は、ＣＰＵ３０１、ＲＯＭ３０２、ＲＡＭ３０３、磁気ディスクドライブ３０４、磁気ディスク３０５、光ディスクドライブ３０６、光ディスク３０７、音声Ｉ／Ｆ（インターフェース）３０８、マイク３０９、スピーカ３１０、入力デバイス３１１、映像Ｉ／Ｆ３１２、ディスプレイ３１３、カメラ３１４、通信Ｉ／Ｆ３１５、ＧＰＳユニット３１６、各種センサ３１７を備えている。また、各構成部３０１〜３１７は、バス３２０によってそれぞれ接続されている。
【００２２】
まず、ＣＰＵ３０１は、ナビゲーション装置３００の全体の制御を司る。ＲＯＭ３０２は、ブートプログラム、経路探索プログラムなどのプログラムを記録している。また、ＲＡＭ３０３は、ＣＰＵ３０１のワークエリアとして使用される。すなわち、ＣＰＵ３０１は、ＲＡＭ３０３をワークエリアとして使用しながら、ＲＯＭ３０２に記録された各種プログラムを実行することによって、ナビゲーション装置３００の全体の制御を司る。
【００２３】
磁気ディスクドライブ３０４は、ＣＰＵ３０１の制御にしたがって磁気ディスク３０５に対するデータの読み取り／書き込みを制御する。磁気ディスク３０５は、磁気ディスクドライブ３０４の制御で書き込まれたデータを記録する。磁気ディスク３０５としては、たとえば、ＨＤ（ハードディスク）やＦＤ（フレキシブルディスク）を用いることができる。
【００２４】
また、光ディスクドライブ３０６は、ＣＰＵ３０１の制御にしたがって光ディスク３０７に対するデータの読み取り／書き込みを制御する。光ディスク３０７は、光ディスクドライブ３０６の制御にしたがってデータが読み出される着脱自在な記録媒体である。光ディスク３０７は、書き込み可能な記録媒体を利用することもできる。着脱可能な記録媒体として、光ディスク３０７のほか、ＭＯ、メモリカードなどを用いることができる。
【００２５】
磁気ディスク３０５および光ディスク３０７に記録される情報の一例としては、地図データや機能データが挙げられる。地図データは、建物、河川、地表面などの地物（フィーチャ）をあらわす背景データと、道路の形状をあらわす道路形状データとを含んでおり、地区ごとに分けられた複数のデータファイルによって構成されている。
【００２６】
道路形状データは、さらに交通条件データを有する。交通条件データには、たとえば、各ノードについて、信号や横断歩道などの有無、高速道路の出入り口やジャンクションの有無、各リンクについての長さ（距離）、道幅、進行方向、道路種別（高速道路、有料道路、一般道路など）などの情報が含まれている。
【００２７】
機能データは、地図上の施設の形状をあらわす３次元データ、当該施設の説明をあらわす文字データ、その他地図データ以外の各種のデータである。地図データや機能データは、地区ごとあるいは機能ごとにブロック分けされた状態で記録されている。具体的には、たとえば、地図データは、各々が、表示画面に表示された地図において所定の地区をあらわすように、地区ごとにブロック分けすることができる状態で記録されている。また、たとえば、機能データは、各々が、１つの機能を実現するように、機能ごとに複数にブロック分けすることができる状態で記録されている。
【００２８】
また、機能データは、上述した３次元データや文字データに加えて、経路探索、所要時間の算出、経路誘導などを実現するプログラムデータなどの機能を実現するためのデータである。地図データおよび機能データは、それぞれ、地区ごとあるいは機能ごとに分けられた複数のデータファイルによって構成されている。
【００２９】
音声Ｉ／Ｆ３０８は、音声入力用のマイク３０９および音声出力用のスピーカ３１０に接続される。マイク３０９に受音された音声は、音声Ｉ／Ｆ３０８内でＡ／Ｄ変換される。マイク３０９は、たとえば、車両のダッシュボード付近に設置され、その数は単数でも複数でもよい。スピーカ３１０からは、所定の音声信号を音声Ｉ／Ｆ３０８内でＤ／Ａ変換した音声が出力される。
【００３０】
入力デバイス３１１は、文字、数値、各種指示などの入力のための複数のキーを備えたリモコン、キーボード、タッチパネルなどが挙げられる。入力デバイス３１１は、リモコン、キーボード、タッチパネルのうちいずれか１つの形態によって実現されてもよいが、複数の形態によって実現することも可能である。
【００３１】
映像Ｉ／Ｆ３１２は、ディスプレイ３１３に接続される。映像Ｉ／Ｆ３１２は、具体的には、たとえば、ディスプレイ３１３全体を制御するグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいてディスプレイ３１３を制御する制御ＩＣなどによって構成される。
【００３２】
カメラ３１４は、車両内部あるいは外部の画像を撮影する。画像は静止画像あるいは動画像のどちらでもよく、たとえば、カメラ３１４によって車両外部の風景や地物、車両内部の搭乗者などを撮影し、撮影した映像を映像Ｉ／Ｆ３１２を介して磁気ディスク３０５や光ディスク３０７などの記録媒体に出力する。また、ナビゲーション装置３００に搭載されたカメラ３１４の他、ユーザが保有するデジタルカメラや携帯電話を映像Ｉ／Ｆ３１２に接続して、ナビゲーション装置３００に取り込めるようにしてもよい。
【００３３】
ディスプレイ３１３には、アイコン、カーソル、メニュー、ウインドウ、あるいは文字や画像などの各種データが表示される。ディスプレイ３１３には、上述した地図データが、２次元または３次元に描画される。ディスプレイ３１３に表示された地図データには、ナビゲーション装置３００を搭載した車両の現在位置をあらわすマークなどを重ねて表示することができる。車両の現在位置は、ＣＰＵ３０１によって算出される。ディスプレイ３１３としては、たとえば、ＴＦＴ液晶ディスプレイ、有機ＥＬディスプレイなどを用いることができる。
【００３４】
通信Ｉ／Ｆ３１５は、無線を介してインターネットなどの通信網に接続され、この通信網とＣＰＵ３０１とのインターフェースとしても機能する。また、通信Ｉ／Ｆ３１５は、テレビやラジオなどの放送波を受信する。通信Ｉ／Ｆ３１５で受信された放送波は、音声Ｉ／Ｆ３０８や映像Ｉ／Ｆ３１２を介して、スピーカ３１０やディスプレイ３１３に、音声情報や画像情報として出力される。
【００３５】
ＧＰＳユニット３１６は、ＧＰＳ衛星からの電波を受信し、車両の現在位置を示す情報を出力する。ＧＰＳユニット３１６の出力情報は、後述する各種センサ３１７の出力値とともに、ＣＰＵ３０１による車両の現在位置の算出に際して利用される。現在位置を示す情報は、たとえば緯度・経度、高度などの、地図データ上の１点を特定する情報である。
【００３６】
各種センサ３１７は、車速センサ、加速度センサ、角速度センサなどの、車両の位置や挙動を判断するための情報を出力する。各種センサ３１７の出力値は、ＣＰＵ３０１による車両の現在位置の算出や、速度や方位の変化量の算出に用いられる。
【００３７】
図１に示した地図表示装置１００の指定部１０１、表示制御部１０２は、図３に示したナビゲーション装置３００におけるＲＯＭ３０２、ＲＡＭ３０３、磁気ディスク３０５、光ディスク３０７などに記録されたプログラムやデータを用いて、ＣＰＵ３０１が所定のプログラムを実行し、ナビゲーション装置３００における各部を制御することによってその機能を実現する。また、ディスプレイ１１０は、図３のディスプレイ３１３に対応する。
【００３８】
（ナビゲーション装置３００による地図表示処理）
つぎに、ナビゲーション装置３００による地図表示処理について説明する。上述のように、ナビゲーション装置３００は、ユーザによって設定された目的地点までの経路を誘導する際、地図データに車両の現在位置を示すマークを重ねて表示する。また、ユーザによるスクロール操作などによって、任意の範囲の地図データを表示することも可能である。
【００３９】
また、ナビゲーション装置３００は、任意の表示縮尺で地図データを表示することができる。ここで、通常の表示形態では、縮尺が小さくなるほど地図データ上の地物は小さく表示され、所定の表示縮尺以下になると表示されなくなる。表示されなくなった地物の位置を確認するには地図データの表示縮尺を調整しなければならない。
【００４０】
しかし、たとえば、目標となる地物の位置を確認しながら走行したい場合など、地図データの表示縮尺に関わらず、特定の地物の位置を表示させたい場合がある。このような場合、ナビゲーション装置３００では、特定の色で示される地物を強調して表示することができる。より詳細には、たとえば、地図データの表示において、池や沼、河川など水に関する地物は水色で表示される。ナビゲーション装置３００は、ユーザから水色が指定された場合、水色で示される地物を強調して表示する。これにより、特定の地物を常時表示することが可能となり、特定の地物の位置を迅速に確認することができる。
【００４１】
図４は、ナビゲーション装置による地図表示処理の手順を示すフローチャートである。図４のフローチャートにおいて、ナビゲーション装置３００は、通常の形態で地図データを表示している（ステップＳ４０１）。ここで、通常の形態とは、縮尺が小さくなるほど地図データ上の地物は小さく表示され、所定の表示縮尺以下になると表示されなくなるような形態である。ナビゲーション装置３００は、ユーザによって色強調モードが選択されるまで（ステップＳ４０２：Ｎｏ）、ステップＳ４０１に戻り、通常の形態による地図データの表示を継続する。
【００４２】
ユーザによって色強調モードが選択されると（ステップＳ４０２：Ｙｅｓ）、ナビゲーション装置３００は、ディスプレイ３１３に色指定メニューを表示させ（ステップＳ４０３）、強調する色および最小縮尺が指定されるまで待機する（ステップＳ４０４：Ｎｏのループ）。詳しくは後述するが、最小縮尺とは、特定の色で示される地物の強調表示を実行する最も小さい縮尺である。色および最小縮尺が指定されると（ステップＳ４０４：Ｙｅｓ）、ナビゲーション装置３００は、色指定メニューの表示を終了し（ステップＳ４０５）、色強調モードに入る。
【００４３】
図５は、色指定メニューの表示例を示す説明図である。図５には、強調したい色を指定する色指定メニュー５００が表示されている。色指定メニュー５００には、地図データの表示に用いられている色を示す色名表示５１０（５１０ａ〜５１０ｄ）および地図データの表示において各色が示す地物の属性を示す属性表示５２０（５２０ａ〜５２０ｄ）が表示されている。たとえば、「水色」は池や沼、河川などの表示に用いられている（色名表示５１０ａおよび属性表示５２０ａ参照）。ユーザは、色名表示５１０の少なくとも１つを選択することによって、強調したい色を選択する。
【００４４】
また、色指定メニュー５００の右下には、縮尺選択ボタン５３０が表示されている。ユーザは、強調したい色を選択した後、縮尺選択ボタン５３０を押下して最小縮尺を設定する縮尺選択画面に移行する。最小縮尺とは、特定の色で示される地物の強調表示を実行する最も小さい縮尺である。地図データの表示縮尺が小さすぎる場合、地物を強調して表示しても返って見づらくなってしまう。このため、ナビゲーション装置３００は、最小縮尺より小さい表示縮尺が指定された場合には、強調表示をおこなわず、通常の形態で地図データを表示する。縮尺選択画面には、たとえば、「１／７５０００」「１／１５万」または「５ｋｍスケール」「１０ｋｍスケール」などの縮尺をそれぞれ示すアイコンが表示され、ユーザはその内の１つのアイコンを選択することによって最小縮尺を指定する。
【００４５】
なお、最小縮尺を設定せずに、いずれの表示縮尺においても強調表示をおこなうようにしてもよい。たとえば、指定された色で表示された地物の数が非常に少ない場合などは、縮尺が小さくなっても地図データの表示が見づらくならないため、強調表示を継続してもよい。
【００４６】
図４の説明に戻り、色強調モードにおいて、ナビゲーション装置３００は、現在の地図データの表示縮尺が最小縮尺よりも大きいか否かを判断する（ステップＳ４０６）。なお、色強調モードであっても、地図データの表示縮尺は任意に変更することができる。地図データの表示縮尺が最小縮尺よりも大きい場合（ステップＳ４０６：Ｙｅｓ）、ナビゲーション装置３００は、指定された色で描画される地物（指定色地物）を強調して表示する（ステップＳ４０７）。
【００４７】
ここで、強調表示の形態には、いくつかの方法が考えられる。第１の方法としては、たとえば、指定された色の地物を、現在表示している地図データの表示縮尺よりも一段階詳細な表示縮尺で表示する方法がある。具体的には、たとえば、地図全体の表示縮尺が５００ｍスケールである場合、指定された色で描画される地物は２００ｍスケールで表示する。また、第２の方法としては、たとえば、表示縮尺が大きい地図データにおける地物の表示のアウトラインを、本来であればその地物が表示されない程度に表示縮尺が小さくなった場合にも、縮小してそのまま表示し続ける方法がある。
【００４８】
一方、地図データの表示縮尺が最小縮尺よりも大きくない場合、すなわち、最小縮尺以下の場合（ステップＳ４０６：Ｎｏ）、ナビゲーション装置３００は、指定された地物の強調表示をおこなわずに地図データを通常の形態で表示する（ステップＳ４０８）。
【００４９】
ユーザによって色強調モードが解除されるまで（ステップＳ４０９：Ｎｏ）、ナビゲーション装置３００は、ステップＳ４０６に戻り、色強調モード中の処理を継続する。色強調モードが解除されると（ステップＳ４０９：Ｙｅｓ）、ナビゲーション装置３００は、通常の形態で地図データを表示して（ステップＳ４１０）、本フローチャートによる処理を終了する。
【００５０】
図６〜図９は、色強調モードにおける地図データの表示例を説明するための説明図である。図６および図７は通常の形態での表示であり、図８および図９は色強調モードでの表示である。図６〜図９は、同じ地域の地図データを表示したものであるが、図６および図８の表示縮尺は１５０ｍスケール、図７および図９の表示縮尺は５００ｍスケールであるため、表示範囲が異なっている。より詳細には、図７および図９の中心部に表示されている公園が、図６および図８ではほぼ全面に表示されている。
【００５１】
図６では、公園内の池やプール、通路などが詳細に表示されている。一方、図７では、図６と比較して表示縮尺が小さいため、これらの地物は表示されていない。ここで、ユーザが強調したい色として水色を選択した場合、色強調モードでは、池やプールなど水に関わる地物が強調して表示される。このため、図８に示すように、色強調モードにおいては、池やプールのアウトラインが強調して表示される。また、図９に示すように、表示縮尺が小さくなっても、公園内の池やプールのアウトラインは縮小され、図８と同様に表示されている。すなわち、図８および図９で示したのは、上記第２の方法の強調表示である。
【００５２】
このように、ナビゲーション装置３００によれば、地図データの表示縮尺を小さくしても、指定された色で表示される地物のみを強調して表示することができる。これにより、ユーザは、必要な地物の位置を迅速に知ることができる。特に、車両の運転中などは、地物の位置を確かめるために地図データの表示縮尺を何度も変更するような操作は危険を伴う。ナビゲーション装置３００によれば、このような操作は必要なく、ユーザは安全に車両を運転することができる。
【００５３】
以上説明したように、ナビゲーション装置３００は、ユーザによって指定された色で表示される地物を他の地物よりも強調して表示する。具体的には、たとえば、指定された色で表示される地物を他の地物の表示縮尺よりも大きい表示縮尺で表示させたり、指定された色で表示される地物のアウトラインを強調して表示させたり、地図データの表示縮尺が小さくなっても指定された色で表示される地物のアウトラインの表示を継続させたりする。これにより、地図データ上における特定の地物の位置がわかりやすくなり、特定の地物を探す時間を短縮することができる。
【００５４】
また、ナビゲーション装置３００は、地図データの表示縮尺が所定値以下の場合には指定された色で表示される地物の強調表示をおこなわない。これにより、地図データの表示が見にくくなるのを回避して、ユーザにとってわかりやすい地図データを提供することができる。
【００５５】
なお、本実施の形態で説明した地図表示方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【符号の説明】
【００５６】
１００  地図表示装置
１０１  指定部
１０２  表示制御部
１１０  ディスプレイ
【図１】
2010175855.tif 000003
【図２】
2010175855.tif 000004
【図３】
2010175855.tif 000005
【図４】
2010175855.tif 000006
【図５】
2010175855.tif 000007
【図６】
2010175855.tif 000008
【図７】
2010175855.tif 000009
【図８】
2010175855.tif 000010
【図９】
2010175855.tif 000011